(57)【要約】【課題】従来の多目的トイレなどにおいては、視覚的障がい者などが困ることがないように、便器の操作系スイッチ等の位置がＪＩＳで規格化されている関係上、トイレットペーパーストッカー１６を、便器９に座った人の手の届く範囲に設置できず、トイレットペーパーホルダー６にトイレットペーパー２を補充するのが困難であった。また、手洗い器を諦めて、ストッカーを配置した場合には、車いす利用者等にとって不便になる場合があった。【解決手段】本発明のトイレットペーパーストッカー１６は、複数のトイレットペーパー２を収納するストッカー本体１８とよりなり、該ストッカー本体１８は、トイレ室１７の壁面１７ａから所望の距離離間して、前記壁面１７ａに固定した手摺１５と前記壁面１７ａとの間に配置されると共に、前記ストッカー本体１８の背面部１８ｂが、前記壁面１７ａに埋め込まれていることを特徴とする。【選択図】図２
2018027181.tif 000002
【特許請求の範囲】
【請求項１】
複数のトイレットペーパーを収納するストッカー本体とよりなり、
該ストッカー本体は、トイレ室の壁面から所望の距離離間して、前記壁面に固定した手摺と前記壁面との間に配置されると共に、
前記ストッカー本体の背面部が、前記壁面に埋め込まれていることを特徴とするトイレットペーパーストッカー。
【請求項２】
前記ストッカー本体は、収納されたトイレットペーパーを上下に積み重ねて収納する、上下方向に延びる有底筒状からなり、
前記手摺は、少なくとも、上下方向に延びる垂直バー部からなり、
前記ストッカー本体は、前記手摺の垂直バー部と前記壁面との間に配置されることを特徴とする請求項１に記載のトイレットペーパーストッカー。
【請求項３】
前記ストッカー本体は、該ストッカー本体の下端部の前壁が、上方の前壁に比べて前方に突出し、収納された最下段のトイレットペーパーを、上方に収納されたトイレットペーパーよりも前方に位置して収納する突出収納部を有し、
該突出収納部の側壁には、収納した最下段のトイレットペーパーを外部に取出すための開口部を有し、
該開口部が、前記壁面に固定されたトイレットペーパーホルダーの側面に近接すると共に、該ホルダーの側面に対向するように、前記ストッカー本体と前記トイレットペーパーホルダーとが配置されていることを特徴とする請求項２に記載のトイレットペーパーストッカー。
【請求項４】
便器と、
壁面から所望の距離離間して、前記壁面に固定した、上下方向に延びる垂直バー部からなる手摺と、
前記壁面に固定したトイレットペーパーホルダーと、
トイレットペーパーストッカーとよりなり、
前記トイレットペーパーストッカーは、複数のトイレットペーパーを上下に積み重ねて収納する、上下方向に延びる有底筒状のストッカー本体とよりなり、
該ストッカー本体は、該ストッカー本体の下端部の前壁が、上方の前壁に比べて前方に突出し、収納された最下段のトイレットペーパーを、上方に収納されたトイレットペーパーよりも前方に位置して収納する突出収納部を有し、
該突出収納部の側壁には、収納した最下段のトイレットペーパーを外部に取り出すための開口部を有し、
前記ストッカー本体は、前記垂直バー部と前記壁面との間に配置されると共に、該ストッカー本体の背面部が前記壁面に埋め込まれ、
前記開口部が、前記トイレットペーパーホルダーの側面に近接すると共に、該ホルダーの側面に対向するように、前記ストッカー本体と前記トイレットペーパーホルダーとが配置されていることを特徴とするトイレ室。
【発明の詳細な説明】
【技術分野】
【０００１】
本発明は、トイレットペーパーストッカー及びトイレ室、特に、公共の多機能トイレなどのバリアフリーのトイレ室内に設置するトイレットペーパーストッカー及び該トイレットペーパーストッカーを有するトイレ室に関するものである。
【背景技術】
【０００２】
従来、多ロール収納タイプのトイレットペーパーホルダー装置として、例えば、シングルタイプ（一つのトイレットペーパーを保持するタイプ）のトイレットペーパーホルダーに、複数のトイレットペーパーを収納したトイレットペーパーストッカーを近接させて設置したものがある。
【０００３】
該従来のトイレットペーパーストッカー１は、例えば、図３に示すように、複数のロール状のトイレットペーパー２を収納するストッカー本体３と、該ストッカー本体３の下部に設けた、トイレットペーパー取出用の開口部４とよりなる。
【０００４】
また、前記ストッカー本体３は、例えば、上下方向に延びる横断面が矩形状の有底筒状からなり、該ストッカー本体３内に、複数のトイレットペーパー２が上下に積み重ねられて収納される。
【０００５】
なお、収納されたトイレットペーパー２の盗難を防止するために、前記ストッカー本体３の天井壁３ａを設けてもよい。かかる場合、トイレットペーパー２を前記ストッカー本体３内に収納するための、例えば、施錠可能な開閉扉（図示せず）が、前記ストッカー本体３に別途設けられる。
【０００６】
また、前記開口部４は、例えば、前記ストッカー本体３の側壁３ｂの下部に設けられ、また、該開口部４は、トイレットペーパー２の大きさよりも若干大きい大きさに形成される。
【０００７】
なお、前記開口部４は、最下段のトイレットペーパー２のみを前記ストッカー本体３の外部に取り出せ、それ以外のトイレットペーパーは、取り出せない大きさに形成され、これにより、後述するように、他のトイレットペーパーの盗難を防止できるようにしている。
【０００８】
そして、該トイレットペーパーストッカー１は、トイレ室５の壁面５ａに固定されたトイレットペーパーホルダー６に隣接させ、また、前記開口部４が該トイレットペーパーホルダー６の側面、例えば、該トイレットペーパーホルダー６に片持ち支持させたペーパー支持棒６ａの先端に、近接させると共に、該側面（先端）に対向する位置に配置されて、前記壁面５ａに固定される。
【０００９】
これにより、前記トイレットペーパーホルダー６内のトイレットペーパー７が無くなれば、前記トイレットペーパーストッカー１内の最下段のトイレットペーパー２を、前記開口部４を通じて、前記トイレットペーパーホルダー６内に横移動させ、前記トイレットペーパーホルダー６に片持ち支持されたペーパー支持棒６ａに、前記トイレットペーパー２の中心孔２ａを挿入させれば、前記トイレットペーパーホルダー６にトイレットペーパー２が補充されるようになる。
【００１０】
このように、トイレットペーパーストッカーの開口部４を、前記トイレットペーパーホルダー６の側面に位置させると共に、該開口部４の大きさを、最下段のトイレットペーパー２以外を取り出せない大きさとすれば、最下段のトイレットペーパー２は、前記トイレットペーパーホルダー６に補充され、それ以外のトイレットペーパー２は外部に取り出せないので、盗難の防止を図ることができる。
【００１１】
なお、８は、前記ストッカー本体３内に収納されたトイレットペーパー２の有無を確認するための、上下方向に延びる確認用の開口孔である。
【００１２】
このようなトイレットペーパーストッカーとしては、例えば、特許文献１がある。
【先行技術文献】
【特許文献】
【００１３】
【特許文献１】特開２００５−１３７７５３号公報
【発明の概要】
【発明が解決しようとする課題】
【００１４】
多機能トイレなどの場合、例えば、図４に示すように、トイレ室５内の便器９の横側のトイレ室の壁面５ａには、該便器９に座った人が必要とする、例えば、便器洗浄ボタン１０と、便器９の動作用リモコン装置１１と、呼出ボタン１２などの各種操作ボタンと、トイレットペーパーホルダー６と、手洗い器１４と、手摺１５等の備品が設けられる。
【００１５】
なお、前記手摺１５は、例えば、上下方向に延びる垂直バー部１５ａと、該垂直バー部１５ａの下端から９０度折れ曲って、水平方向に延びる水平バー部１５ｂとよりなる、Ｌ字状の棒体よりなり、該棒体は、連結バー部１５ｃにより、前記壁面５ａから所望の距離離間して、例えば、該壁面５ａと略平行になるように、前記壁面５ａに固定されている。
【００１６】
また、公共トイレなどでは、例えば、視覚的障がい者などが困らないように、公共トイレ操作系ＪＩＳ（ＪＩＳ  Ｓ００２６）により、各種操作ボタンや、トイレットペーパーホルダーの位置が決められており、これに多機能トイレに必須の手摺や、設置が望ましいとされる手洗い器を設置するとなると、例えば、図４に示すように、前記Ｌ字状の手摺１５の垂直バー部１５ａと水平バー部１４ｂとで囲まれる内側の、前記壁面５ａの矩形範囲部分内に、例えば、左から、呼出ボタン、便器の動作用リモコン装置、洗浄ボタンが横一列に配置され、また、前記洗浄ボタンの下部にトイレットペーパーホルダー６が位置するように配置される。
【００１７】
また、前記操作ボタンの下側と、前記トイレットペーパー６の左側の壁面の空間部分を利用して、例えば、車いす使用者用に手洗い器を配置している場合がほとんどである。
【００１８】
なお、トイレットペーパーホルダーなど、一部の備品については、前記矩形範囲部分外、例えば、前記水平バー部１５ｂの下部に設けられる場合もある。
【００１９】
一方、トイレ管理者にとっては、トイレットペーパー補充に要するマンパワーの軽減のため、多ロール収納タイプのトイレットペーパーホルダー装置の設置を希望すると共に、トイレットペーパーの持ち出しを防げて、片マヒなどの障がい等を持つ要配慮者にとって便利なワンハンドカット機能など、使い勝手がよく、壊れにくいトイレットペーパーホルダーを設置したい要望がある。
【００２０】
しかしながら、前記配置においては、例えば、使い勝手がよく、壊れにくいシングルタイプのトイレットペーパーホルダーに隣接して、前記従来のトイレットペーパーストッカー１を設置できるスペースがなく、トイレットペーパー２を簡単に補充することができず、また、トイレットペーパーの盗難を防止するなど、上記トイレ管理者の要望を満たすことができないという問題点があった。
【００２１】
また、前記配置において、トイレットペーパーストッカーを設けるとすれば、水平方向に配置せざるを得なくなり、手洗い器を諦めなければならず、車いす使用者等にとって非常に不便になる。
【００２２】
本発明は上記の問題点を解決するトイレットペーパーストッカー及びトイレ室を提供することを目的とする。
【課題を解決するための手段】
【００２３】
前記の目的を達成すべく、本発明のトイレットペーパーストッカーは、複数のトイレットペーパーを収納するストッカー本体とよりなり、該ストッカー本体は、トイレ室の壁面から所望の距離離間して、前記壁面に固定した手摺と前記壁面との間に配置されると共に、前記ストッカー本体の背面部が、前記壁面に埋め込まれていることを特徴とする。
【００２４】
また、前記ストッカー本体は、収納されたトイレットペーパーを上下に積み重ねて収納する、上下方向に延びる有底筒状からなり、前記手摺は、少なくとも、上下方向に延びる垂直バー部からなり、前記ストッカー本体は、前記手摺の垂直バー部と前記壁面との間に配置されることを特徴とする。
【００２５】
また、前記ストッカー本体は、該ストッカー本体の下端部の前壁が、上方の前壁に比べて前方に突出し、収納された最下段のトイレットペーパーを、上方に収納されたトイレットペーパーよりも前方に位置して収納する突出収納部を有し、該突出収納部の側壁には、収納した最下段のトイレットペーパーを外部に取出すための開口部を有し、該開口部が、前記壁面に固定されたトイレットペーパーホルダーの側面に近接すると共に、該ホルダーの側面に対向するように、前記ストッカー本体と前記トイレットペーパーホルダーとが配置されていることを特徴とする。
【００２６】
また、本発明のトイレ室は、便器と、壁面から所望の距離離間して、前記壁面に固定した、上下方向に延びる垂直バー部からなる手摺と、前記壁面に固定したトイレットペーパーホルダーと、トイレットペーパーストッカーとよりなり、前記トイレットペーパーストッカーは、複数のトイレットペーパーを上下に積み重ねて収納する、上下方向に延びる有底筒状のストッカー本体とよりなり、該ストッカー本体は、該ストッカー本体の下端部の前壁が、上方の前壁に比べて前方に突出し、収納された最下段のトイレットペーパーを、上方に収納されたトイレットペーパーよりも前方に位置して収納する突出収納部を有し、該突出収納部の側壁には、収納した最下段のトイレットペーパーを外部に取り出すための開口部を有し、前記ストッカー本体は、前記垂直バー部と前記壁面との間に配置されると共に、該ストッカー本体の背面部が前記壁面に埋め込まれ、前記開口部が、前記トイレットペーパーホルダーの側面に近接すると共に、該ホルダーの側面に対向するように、前記ストッカー本体と前記トイレットペーパーホルダーとが配置されていることを特徴とする。
【発明の効果】
【００２７】
本発明のトイレットペーパーストッカー及びトイレ室によれば、使い勝手がよく、壊れにくいトイレットペーパーホルダーに隣接して、複数のトイレットペーパーを収納するトイレットペーパーストッカーを設置できるようになる。
【００２８】
また、手摺と壁面との間に、トイレットペーパーストッカーを埋め込んで配置したので、トイレットペーパーストッカーと手摺との間に、便器への立ち座りの補助という手摺の機能を損なうことのないための十分な空間・位置を確保できる。
【００２９】
また、便器に座った人が届く範囲に、トイレットペーパーストッカーを配置できるので、トイレットペーパーホルダーにトイレットペーパーの補充が容易になる。
【００３０】
また、壁面と手摺との間にトイレットペーパーストッカーを配置したので、便器を利用する人の邪魔にはならない。
【００３１】
また、従来、トイレットペーパーが切れた場合に備え、手洗い器を諦めて、例えば、トイレットペーパーホルダーの横にトイレットペーパーストッカーを設けたり、または、トイレットペーパーホルダーを２つ設けていたが、本発明においては、トイレットペーパーストッカーと手洗い器の両方を配置できる利点がある。
【００３２】
また、従来、トイレットペーパーが切れた場合に備え、便器に座った人の手の届く範囲に、トイレットペーパーのみを置くことがあり、盗難の心配があったが、本発明においては、盗難の心配はない。
【００３３】
また、トイレットペーパーストッカーに鍵を設けることにより、トイレットペーパーの持ち出しを防ぐことができる。
【００３４】
また、トイレットペーパーストッカーを、トイレットペーパーホルダーに近接して設けることにより、交換が容易であると共に、余分なトイレットペーパーを取り出す余地がないので、盗難防止も図ることができるようになる。
【図面の簡単な説明】
【００３５】
【図１】本発明のトイレ室の説明図である。
【図２】本発明のトイレットペーパーストッカーの側面図である。
【図３】従来のトイレットペーパーストッカーの斜視図である。
【図４】従来のトイレ室の説明図である。
【発明を実施するための形態】
【００３６】
本発明を実施するための形態の実施例を以下に示す。
【実施例１】
【００３７】
本発明の実施例１を図１及び図２により説明する。なお、従来と共通する部分には、従来と同じ符号をつけて、説明を省略する。
【００３８】
図１は本発明のトイレットペーパーストッカー１６を有する、多機能トイレなどのトイレ室１７を示し、図２は、本発明のトイレットペーパーストッカー１６の側面図を示す。
【００３９】
本発明のトイレットペーパーストッカー１６においては、図１に示すように、該トイレットペーパーストッカー１６を、トイレ室１７内の便器（図示せず）の横側の、トイレ室１７の側壁１７ａに設けた手摺１５と該側壁１７ａとの間に配置すると共に、該トイレットペーパーストッカー１６の背面部を前記側壁１７ａ内に埋め込んで固定するようにし、前記トイレットペーパーストッカー１６の前面と、前記手摺１５との間に所望の大きさの空間が形成されるようにする。
【００４０】
具体的には、前記トイレットペーパーストッカー１６は、例えば、複数のロール状のトイレットペーパー２を収納するストッカー本体１８と、該ストッカー本体１８の下端部の前壁が前方に突出して形成し、収納された最下段のトイレットペーパー２を、上方に収納されたトイレットペーパーよりも前方に位置して収納する突出収納部１９と、該突出収納部１９に設けた、トイレットペーパー取出用の開口部２０とよりなる。
【００４１】
そして、前記ストッカー本体１８は、例えば、上下方向に延びる横断面が矩形状の有底筒状からなり、該横断面は、収納されるトイレットペーパーの外形形状よりも若干大きい形状であり、該ストッカー本体１８内に、複数のトイレットペーパー２が上下に積み重ねられて収納するように形成され、また、前記突出収納部１９において、最下段のトイレットペーパー２が、上方に積み重ねられたトイレットペーパー２よりも、該トイレットペーパーの半径程度、前方に位置して収納されるように形成されている。
【００４２】
なお、従来同様に、収納されたトイレットペーパー２の盗難を防止するために、前記ストッカー本体１８の天井壁１８ａを設けてもよい。かかる場合、トイレットペーパー２を前記ストッカー本体１８内に収納するための、例えば、鍵などにより施錠可能な開閉扉２１が、前記ストッカー本体１８の上部に設けられている。なお、天井部が埋め込まれている場合には、その部分の天井壁は省略できる。
【００４３】
また、前記開口部２０は、例えば、前記突出収納部１９の側壁１９ａの下部に設けられ、また、該開口部２０は、トイレットペーパー２の大きさよりも若干大きい大きさに形成される。
【００４４】
なお、前記開口部２０は、最下段のトイレットペーパー２のみを前記ストッカー本体１８の外部に取り出せ、それ以外のトイレットペーパーは、取り出せない大きさに形成され、これにより、他のトイレットペーパーの盗難を防止できるようにしている。
【００４５】
また、２２は、前記ストッカー本体１８内の下部後端部に形成した傾斜板であり、該傾斜板２２により、前記最下部のトイレットペーパー２を、前記突出収納部１９に案内するように形成されている。
【００４６】
また、２３は、前記ストッカー本体１８内の前方に、上下方向に設けた、くの字状に形成されたトイレットペーパーガイド板であり、前記ストッカー本体１８内に積み重ねられて収納されたトイレットペーパー２を案内するように形成されている。
【００４７】
また、前記ストッカー本体１８を、前記手摺１５の垂直バー部１５ａと前記壁面１７ａとの間に配置すると共に、前記ストッカー本体１８の背面側の背面部１８ｂを、前記開口部２０が埋め込まれない範囲において、所望の深さで前記壁面１７ａ内に埋め込むようにする。
【００４８】
なお、前記ストッカー本体１８は、施工上、及びコスト上から、前記ストッカー本体１８の背面側の一部が、前記壁面に埋め込まれるのが好ましい。
【００４９】
また、前記トイレットペーパーホルダー６は、該ホルダー６の側面、例えば、該ホルダー６に片持ち支持させたペーパー支持棒６ａの先端が、前記トイレットペーパーストッカー１６の開口部２０に近接すると共に、該開口部２０に対向するように、前記壁面１７ａに設けられる。
【００５０】
なお、この近接する距離とは、トイレットペーパー２の盗難を防止するために、前記トイレットペーパーホルダー６の支持棒先端と、前記開口部２０との距離が、トイレットペーパー２の幅よりも狭い距離をいう。
【００５１】
なお、前記トイレットペーパーストッカー１６の下部を、前記垂直バー部１５ａよりも、下方に突出させてもよい。かかる場合、前記トイレットペーパーホルダー６は、前記手摺１５の水平バー部１５ｂの下部に配置されるようになる。
【００５２】
本発明のトイレットペーパーストッカーの作用とその効果について説明する。
【００５３】
本発明においては、トイレットペーパーストッカー１６のストッカー本体１８の背面部１８ａを壁面１７ａに埋め込んで設けたので、該トイレットペーパーストッカー１６と手摺１５との間に十分な空間を確保することができるようになる。
【００５４】
即ち、トイレ利用者が、手摺１５を抱え込んで利用する場合には、手摺１５とトイレットペーパーストッカー１６との間に、腕を通すだけの空間が必要であるが、前記ストッカー本体１８の背面部１８ｂは埋め込まれているので、該ストッカー本体１８の上部の前壁と前記手摺との間には、腕を通すだけの空間を確保できる。
【００５５】
また、前記突出収納部１９の前面と、前記手摺１５との間にも、手を入れる空間を確保できるので、利用者に不都合はない。
【００５６】
例えば、直径１２０ｍｍのトイレットペーパーを収納する、ストッカー本体１８の横断面の前後方向の長さが１３０ｍｍで、突出収納部１９を含んだ前記ストッカー本体１８の横断面の前後方向の長さが、２００ｍｍの場合のトイレットペーパーストッカー１６を（図２において、トイレットペーパーストッカーの形状が、点線で示した部分の場合）、壁面から２００ｍｍ離間して配置した手摺の裏側に位置させると共に、壁厚７０ｍｍの壁面に埋め込んだ場合、前記トイレットペーパーストッカー１６の上部と手摺１５との間には、１４０ｍｍの空間を確保でき、腕を挿入するのに十分なスペースがあり、また、前記トイレットペーパーストッカー１６の下部と手摺１５との間であっても、６０ｍｍの空間を確保できるので、指を挿入するのに十分なスペースを確保できるようなる。
【００５７】
また、前記トイレットペーパーホルダー６内のトイレットペーパー７が無くなれば、前記トイレットペーパーストッカー１６内の最下段のトイレットペーパー２を、前記開口部２０を通じて、前記トイレットペーパーホルダー６内に横移動させ、前記トイレットペーパーホルダー６に片持ち支持されたペーパー支持棒６ａに、前記トイレットペーパー２の中心孔２ａを挿入させれば、前記トイレットペーパーホルダー６にトイレットペーパー２が補充されるようになる。
【産業上の利用可能性】
【００５８】
本発明のトイレットペーパーストッカーは、手すりのあるトイレや、スペースが限られているトイレに利用できる。
【符号の説明】
【００５９】
１      トイレットペーパーストッカー
２      トイレットペーパー
２ａ    中心孔
３      ストッカー本体
３ａ    天井壁
３ｂ    側壁
４      開口部
５      トイレ室
５ａ    壁面
６      トイレットペーパーホルダー
６ａ    支持棒
７      トイレットペーパー
８      開口孔
９      便器
１０    洗浄ボタン
１１    リモコン装置
１２    呼出ボタン
１４    手洗い器
１５    手摺
１５ａ  垂直バー部
１５ｂ  水平バー部
１５ｃ  連結バー部
１６    トイレットペーパーストッカー
１７    トイレ室
１７ａ  壁面
１８    ストッカー本体
１８ａ  天井壁
１８ｂ  背面部
１９    突出収納部
１９ａ  側壁
２０    開口部
２１    開閉扉
２２    傾斜板
２３    ガイド板
【図１】
2018027181.tif 000003
【図２】
2018027181.tif 000004
【図３】
2018027181.tif 000005
【図４】
2018027181.tif 000006